(57)【要約】【課題】操作性の向上を実現する画像形成装置を提供する。【解決手段】画像形成装置１０は、画像形成装置本体１２と、複数の感光体４０を有する感光体ユニット２６と、感光体ユニット２６の感光体４０にトナーを供給するためのトナーカートリッジ５０とを有する。感光体ユニット２６は、画像形成装置本体１２に対して回動するよう設けられ、トナーカートリッジ５０は、感光体ユニット２６が所定の回動範囲にある場合に感光体ユニット４０に対して着脱自在である。【選択図】図４
2008046379.tif 000002
【特許請求の範囲】
【請求項１】
画像形成装置本体と、
複数の感光体を有する感光体ユニットと、
前記感光体ユニットの感光体にトナーを供給するためのトナーカートリッジと、
を有し、
前記感光体ユニットは、前記画像形成装置本体に対して回動するよう設けられ、前記トナーカートリッジは、前記感光体ユニットが所定の回動範囲にある場合に前記感光体ユニットに対して着脱自在であることを特徴とする画像形成装置。
【請求項２】
画像形成装置本体と、
複数の感光体を有する感光体ユニットと、
前記感光体ユニットの感光体にトナーを供給するためのトナーカートリッジと、
を有し、
前記感光体ユニットは、前記画像形成装置本体に対して回動するよう設けられ、前記トナーカートリッジは、前記感光体ユニットが第１の所定の回動範囲にある場合に前記感光体ユニットに対して着脱自在であり、さらに前記感光体ユニットは、前記感光体ユニットが第２の所定の回動範囲にある場合に前記画像形成装置本体に対して着脱自在であることを特徴とする画像形成装置。
【請求項３】
前記第２の所定の回動範囲は前記第１の所定の回動範囲に含まれることを特徴とする請求項２に記載の画像形成装置。
【請求項４】
重力方向に設けられた回動軸を有し、前記感光体ユニットは該回動軸を支点として前記画像形成装置本体に対して回動するように設けられていることを特徴とする請求項１乃至３いずれか記載の画像形成装置。
【請求項５】
前記回動軸は前記複数の感光体に駆動力を伝達するウォームギアを有することを特徴とする請求項４に記載の画像形成装置。
【請求項６】
前記ウォームギアに噛み合う入力ギアを有し、前記感光体ユニットは該入力ギアを支点として前記画像形成装置本体に対して回動するように設けられていることを特徴とする請求項５に記載の画像形成装置。
【請求項７】
複数の感光体を有する感光体ユニットと、
前記感光体ユニットに対向して配置された転写ユニットと、
前記感光体ユニットの感光体にトナーを供給するためのトナーカートリッジと、
を少なくとも備える画像形成装置であって、
前記トナーカートリッジは前記画像形成装置に着脱自在であり、
前記画像形成装置は、該画像形成装置における前記トナーカートリッジの装着方向奥側を支点にして該装着方向と略垂直な方向に回動可能であって、前記画像形成装置を回動することによって前記感光体ユニットと前記転写ユニットの対向を解除することを特徴とする画像形成装置。
【請求項８】
前記画像形成装置は、前記トナーカートリッジの装着方向奥側に設けられた回動軸を有するとともに、該回動軸を支点として回動されることを特徴とする請求項７に記載の画像形成装置。
【請求項９】
前記回動軸は前記複数の感光体に駆動力を伝達するウォームギアを有することを特徴とする請求項８に記載の画像形成装置。
【請求項１０】
前記ウォームギアに噛合う入力ギアを有し、前記画像形成装置は該入力ギアを支点として回動されることを特徴とする請求項９に記載の画像形成装置。
【発明の詳細な説明】
【技術分野】
【０００１】
本発明は、プリンタ、複写機又はファクシミリ等の画像形成装置に関するものである。
【背景技術】
【０００２】
この種の画像形成装置であって、画像形成装置本体と、この画像形成装置内に複数の感光体と各感光体にトナーを供給するための複数のトナーカートリッジとを有するものが知られている（例えば特許文献１乃至３）。また、これらの画像形成装置であって、同一のウォーム軸上に設けられたウォームと、各感光体軸の端部に設けられ前記各ウォームに噛み合うウォームホイールとウォーム軸と各感光体軸を回転自在に支持する軸支部材とよりなる感光体軸駆動部を、１つのユニットとして装置本体の側板に固定する技術が知られている（例えば特許文献１）。また、１個のモータで発生する駆動力を、ウォーム軸に取付けられたウォームとウォームホイールを介して、定着ローラ、各感光体ドラム、転写ベルトの駆動ローラに分配してそれぞれを回転駆動させる技術が知られている（例えば特許文献２）。
【０００３】
【特許文献１】特開平５−２８１８２４号公報
【特許文献２】特開平１０−２２１９１０号公報
【特許文献３】特開２００２−７２６１８号公報
【発明の開示】
【発明が解決しようとする課題】
【０００４】
しかしながら、いずれの従来技術においても、トナーカートリッジの着脱操作が複雑であり、さらには用紙のジャム処理操作が複雑であるという問題点があった。
【課題を解決するための手段】
【０００５】
本発明の目的とするところは、上記従来の問題点を解消し、操作性の向上を実現する画像形成装置を提供することにある。
【０００６】
上記目的を達成するため、本発明の第１の特徴とするところは、画像形成装置本体と、複数の感光体を有する感光体ユニットと、前記感光体ユニットの感光体にトナーを供給するためのトナーカートリッジとを有し、前記感光体ユニットは、前記画像形成装置本体に対して回動するよう設けられ、前記トナーカートリッジは、前記感光体ユニットが所定の回動範囲にある場合に前記感光体ユニットに対して着脱自在である画像形成装置にある。したがって、トナーカートリッジの着脱操作を少なくとも画像形成装置の前面側から容易に行なうことができ、操作性の向上が実現される。
【０００７】
本発明の第２の特徴とするところは、画像形成装置本体と、複数の感光体を有する感光体ユニットと、前記感光体ユニットの感光体にトナーを供給するためのトナーカートリッジとを有し、前記感光体ユニットは、前記画像形成装置本体に対して回動するよう設けられ、前記トナーカートリッジは、前記感光体ユニットが第１の所定の回動範囲にある場合に前記感光体ユニットに対して着脱自在であり、さらに前記感光体ユニットは、前記感光体ユニットが第２の所定の回動範囲にある場合に前記画像形成装置本体に対して着脱自在である画像形成装置にある。したがって、トナーカートリッジの着脱操作と感光体ユニットの着脱操作とを画像形成装置本体の同方向側から行なうことができ、操作性の向上が実現される。
【０００８】
本発明の第３の特徴とするところは、複数の感光体を有する感光体ユニットと、前記感光体ユニットに対向して配置された転写ユニットと、前記感光体ユニットの感光体にトナーを供給するためのトナーカートリッジと、を少なくとも備える画像形成装置であって、前記トナーカートリッジは前記画像形成装置に着脱自在であり、前記画像形成装置は、該画像形成装置における前記トナーカートリッジの装着方向奥側を支点にして該装着方向と略垂直な方向に回動可能であって、前記画像形成装置を回動することによって前記感光体ユニットと前記転写ユニットの対向を解除する画像形成装置である。したがって、トナーカートリッジの着脱操作と用紙のジャム処理操作とを画像形成装置本体の同方向側から行なうことができ、操作性の向上が実現される。
【０００９】
好適には、前記第２の所定の回動範囲は前記第１の所定の回動範囲に含まれる。
【００１０】
好適には、回動軸を有し、前記感光体ユニットは該回動軸を支点として前記画像形成装置本体に対して回動するように設けられている。
【００１１】
好適には、前記回動軸は前記複数の感光体に駆動力を伝達するウォームギアを有する。
【００１２】
好適には、前記ウォームギアに噛み合う入力ギアを有し、前記感光体ユニットは該入力ギアを支点として前記画像形成装置本体に対して回動するように設けられている。
【発明の効果】
【００１３】
本発明によれば、トナーカートリッジの着脱操作を少なくとも画像形成装置の前面側から容易に行なうことができ、操作性の向上を実現することができる。
【発明を実施するための最良の形態】
【００１４】
次に本発明の実施形態について図面に基づいて説明する。
図１において、本発明の第１の実施形態に係る画像形成装置１０が示されている。この画像形成装置１０は、画像形成装置本体１２を有し、画像形成装置本体１２の下部には、シート供給装置１４が配置されていると共に、画像形成装置本体１２の上部にはシート排出部１６が形成されている。
【００１５】
図１に示すように、本実施形態における画像形成装置１０の前後方向は、後述する感光体４０の軸方向と垂直で、かつ水平方向である。したがって、画像形成装置本体１２の前面は、感光体４０の軸方向と垂直で、かつ垂直方向に形成された一方の面（図１左側面）であり、画像形成装置本体１２の後面は、感光体４０の軸方向と垂直で、かつ垂直方向に形成された他方の面（図１右側）である。画像形成装置本体１２の前面には、開閉手段としての開閉カバー１３が画像形成装置本体１２に対して開閉自在に設けられている。
【００１６】
給紙装置１４は、シートトレイ１８を有し、このシートトレイ１８に多数の用紙が積層収容される。このシートトレイ１８は、画像形成装置本体１２に摺動自在に装着され、前面方向（図１の矢印ａ方向）に引き出されるようになっている。このシートトレイ１８へのシート補給操作は、画像形成装置本体１２の前面側より行われる。このシートトレイ１８の一端上部には、フィードロール２０が配置されていると共に、このフィードロール２０に対向してリタードロール２２が設けられている。シートトレイ１８の最上位にあるシートがフィードロール２０によりピックアップされ、フィードロール２０とリタードロール２２との協働によりシートが捌かれて搬送される。
【００１７】
シートトレイ１８から搬送されたシートは、レジストローラ２４により一時停止され、所定のタイミングにより後述する感光体ユニット２６と転写ユニット２８との間及び定着装置３０を通って排出ローラ３２によりシート排出部１６へ排出される。
【００１８】
画像形成装置本体１２内には、感光体ユニット２６、転写ユニット２８、電源ユニット３４及び制御部３６が配置されている。感光体ユニット２６は、感光体ユニット本体３８に例えば４つの感光体４０が回転自在に支持されている。各感光体４０の周囲には、感光体４０を一様に帯電する帯電ロールを備えた帯電手段としての帯電装置４２と、各感光体４０に書き込まれた潜像を現像剤（トナー）で現像する現像手段としての現像装置４４と、転写後の感光体４０を除電する除電装置４６と、転写がなされた後に感光体４０に残留する現像剤を除去する現像剤除去手段としてのクリーニング装置４８とを有する。感光体ユニット２６は、４つの感光体４０と、夫々の感光体に応じて設けられた帯電装置４２、現像装置４４、除電装置４６及びクリーニング装置４８を一体化したものであり、画像形成装置本体１２に対して着脱自在になっている。
【００１９】
４つのトナーカートリッジ５０は、感光体ユニット２６の裏面に接続されている。各トナーカートリッジ５０は、マゼンダ、イエロー、シアン及び黒用であり、トナー供給部（図示省略）とトナー回収部（図示省略）とが一体になって構成されている。トナー供給部は現像装置４４に接続されて各色のトナーを現像装置４４に供給し、トナー回収部はクリーニング装置４８に接続されて各色のトナーを回収する。
【００２０】
光書込み装置５６は、それぞれレーザ露光装置からなり、感光体ユニット２６の背面側にあって各感光体４０に対応した位置に配置され、一様に帯電された感光体４０に対してレーザを照射して潜像を形成するようになっている。
【００２１】
転写ユニット２８は、感光体ユニット２６の表側にあって感光体ユニット２６に対向して縦方向に配置されている。この転写ユニット２８には、上下方向に設けられた二つの支持ロール５８に搬送ベルト６０が掛けられており、搬送ベルト６０を挟んで各感光体４０に対向して転写ロール６２が設けられている。この転写ユニット２８は、画像形成装置本体１２に回動自在に設けられており、画像形成装置本体１２の前面方向（図１の矢印ｂ）に略水平状態となるまで回動できるようになっている。
【００２２】
したがって、各感光体４０は、帯電装置４２により一様に帯電され、光書込み装置５６により潜像が形成され、現像装置４４により潜像がトナーにより可視像化される。各感光体４０に形成されたトナー像は、下方から順番に転送ユニット２８の転写ロール６２により、搬送されるシートに転写され、定着装置３０によりシートに定着される。
【００２３】
図２及び図３に感光体ユニット２６の詳細が示されている。図２に示すように、感光体ユニット２６は、感光体ユニット本体３８を有し、この感光体ユニット本体３８は、略垂直方向に形成された対向する一対の側面部（３８ａ及び３８ｂ）と、略水平方向に形成された上面部３８ｃ及び下面部３８ｄとを有する。回動軸６４，６４は、感光体ユニット本体３８の側面部３８ａ近傍の上面部３８ｃ及び下面部３８ｄに重力方向に設けられている。この回動軸６４，６４は、該回動軸６４の外周面の一部に例えば２つの平面部６４ａが設けられた略円柱状に形成されており、画像形成装置本体１２に設けられた支持アーム７２（図１に示す）に回動自在かつ着脱自在に装着されるようになっている。支持アーム７２は、画像形成装置本体１２に固定されており、画像形成装置本体１２の前面方向に開口した切り欠き部７２ａ（図４に示す）が形成されている。
【００２４】
図３（ａ）及び（ｂ）に示すように、駆動伝達装置６６は、感光体ユニット本体３８の側面部３８ｂに設けられている。この駆動伝達装置６６は、複数のギア（アイドルギア６６ａ，６６ｂ）からなり、画像形成装置本体１２に設けられた入力ギア６８の駆動力を各感光体４０に伝達するようになっている。入力ギア６８は、画像形成装置本体１２に回転自在に設けられており、モータ等の駆動源（図示省略）に接続されている。
【００２５】
図３（ａ）に示すように、各トナーカートリッジ５０は、感光体ユニット本体３８内において各感光体４０と平行に配置されており、感光体ユニット本体３８の側面部３８ｂに設けられた開口部７０を介して感光体ユニット本体３８に対して着脱できるようになっている。
【００２６】
なお、回動軸６４と支持アーム７２とに所定のあそび（ガタ）を有するようにしてもよい。これにより、画像形成装置本体１２に対する感光体ユニット２６の位置決め精度を向上させることができる。
【００２７】
図４（ａ）に本実施形態の画像形成装置１０におけるジャム処理方法が示されている。
図４（ａ）に示すように、画像形成装置本体１２内においてジャムが発生した場合は、開閉カバー１３を開放し、転写ユニット２８を略水平状態となるまで画像形成装置本体１２の前面方向（図１の矢印ｂ方向）に回動させる。これにより、感光体ユニット２６の各感光体４０と転写ユニット２８の搬送ベルト６０との当接が解除され、ジャムを発生させたシートを取り除くことができる。このジャム処理操作は、画像形成装置本体１２の前面側より行なわれる。
【００２８】
図４（ｂ）に本実施形態の画像形成装置１０におけるトナーカートリッジ５０の着脱方法が示されている。
まず、開閉カバー１３を開放し、転写ユニット２８を略水平状態となるまで画像形成装置本体１２の前面方向（図１の矢印ｂ方向）に回動させる。続いて、図４（ｂ）に示すように、回動軸６４を支点として感光体ユニット２６を画像形成装置本体１２の前面方向（図４（ｂ）の矢印ｃ方向）へ第１の所定の回動範囲内で回動させる。続いて、各トナーカートリッジ５０を感光体ユニット２６の開口部７０（図４（ａ）に示す）より取り外す。なお、感光体ユニット２６に対する各トナーカートリッジ５０の取付けは、上記逆の手順で行われる。この各トナーカートリッジ５０の着脱操作は、画像形成装置本体１２の前面側より行なわれる。
ここで第１の所定の回動範囲とは、感光体ユニット２６に対してトナーカートリッジ５０を着脱した際に該トナーカートリッジ５０と画像形成装置本体１２とが干渉しない感光体ユニット２６の回動範囲をいう。
【００２９】
図４（ｃ）に本実施形態の画像形成装置１０における感光体ユニット２６の着脱方法が示されている。
まず、開閉カバー１３を開放し、転写ユニット２８を略水平状態となるまで画像形成装置本体１２の前面方向（図１の矢印ｂ方向）に回動させる。続いて、図４（ｃ）に示すように、回動軸６４を支点として感光体ユニット２６を第２の回動範囲内で回動させ、切り欠き部７２ａの開口部と回動軸６４の平面部６４ａとを対峙させて支持アーム７２と回動軸６４との係合を解除し、該感光体ユニット２６を画像形成装置本体１２より画像形成装置本体１２の前面方向（図４（ｃ）の矢印ｅ方向）に取り外す。なお、画像形成装置本体１２に対する感光体ユニット２６の取付けは、上記逆の手順で行われる。この感光体ユニット２６の着脱操作は、画像形成装置本体１２の前面側より行なわれる。
ここで第２の所定の回動範囲とは、画像形成装置本体１２に対して感光体ユニット２６を着脱した際に該感光体ユニット２６と画像形成装置本体１２とが干渉しない感光体ユニット２６の回動範囲をいう。
【００３０】
なお、感光体ユニット２６に対してトナーカートリッジ５０を着脱する際の感光体ユニット２６の回動範囲（第２の所定の回動範囲）は、画像形成装置本体１２に対して感光体ユニット２６を着脱する際の感光体ユニット２６の回動範囲（第１の所定の回動範囲）に含まれる。
【００３１】
このように、感光体ユニット２６が画像形成装置本体１２に対して回動するよう設けられ、感光体ユニット２６が所定の回動範囲にある場合にトナーカートリッジ５０が感光体ユニット２６に対して着脱自在であるので、トナーカートリッジ５０の着脱操作を少なくとも画像形成装置本体１２の前面側から容易に行なうことができ、操作性の向上を実現することができる。また、ジャム処理操作、感光体ユニット２６の着脱操作、各トナーカートリッジ５０の着脱操作及びシートカセット５０へのシートの補給操作を画像形成装置本体１２の前面側から行なうことができるため、操作者が移動することなく各操作を行なうことが可能となり、該操作者により行なわれる操作の操作性をより向上することができる。また、画像形成装置１０を設置するにあたり、この画像形成装置本体１２の前面以外の位置に操作者が操作をするためのスペースを確保する必要がなくなる。よって、作業空間を含めたスペースを小さくすることができ、画像形成装置を小型化することが可能となる。
【００３２】
図５に本発明の第２の実施形態における感光体ユニット２６が示されている。
図５に示すように、感光体ユニット２６には、駆動伝達装置６６、複数の感光体４０及びトナーカートリッジ５０が配設されている。駆動伝達装置６６は、感光体ユニット本体３８内の側面部３８ａ近傍に設けられており、回動軸６４、入力ギア６８及び感光体駆動ギア７４を有する。回動軸６４は、感光体ユニット２６の側面部３８ａに沿って重力方向に配設されており、上端部が上面部３８ｃに下端部が下面部３８ｄに回動自在に支持されている。この回動軸６４の下端部近傍には駆動伝達ギア７６が設けられている。ウォームギア７８は、回動軸６４の最上部に配置された感光体４０から最下部に配置された感光体４０に至る範囲に対応する部分に設けられている。各感光体駆動ギア７４は、各感光体５０の一端部にそれぞれ設けられており、ウォームギア７８と噛み合うようになっている。したがって、ウォームギア７８は、入力ギア６８及び駆動伝達ギア７６により伝達された駆動力を各感光体４０に感光体駆動ギア７４を介して伝達するようになっている。
なお、ウォームギア７８は、回動軸６４の各感光体駆動ギア７４に対応する部分にのみ複数設けるようにしてもよい。
【００３３】
図６に本実施形態の画像形成装置１０におけるトナーカートリッジ５０の着脱方法が示されている。
まず、図６（ａ）に示すように開閉カバー１３を開放し、図６（ｂ）に示すように転写ユニット２８を略水平状態となるまで画像形成装置本体１２の前面方向（図１の矢印ｂ方向）に回動させる。続いて、図６（ｃ）に示すように、入力ギア６８を支点として感光体ユニット２６を画像形成装置本体１２の前面方向（図６（ｃ）の矢印ｆ方向）へ第１の回動範囲内で回動させる。続いて、各トナーカートリッジ５０を感光体ユニット２６の開口部７０（図４（ａ）に示す）より取り外す。なお、感光体ユニット２６に対する各トナーカートリッジ５０の取付けは、上記逆の手順で行われる。この各トナーカートリッジ５０の着脱操作は、画像形成装置本体１２の前面側より行なわれる。
ここで第１の所定の回動範囲とは、感光体ユニット２６に対してトナーカートリッジ５０を着脱した際に該トナーカートリッジ５０と画像形成装置本体１２とが干渉しない感光体ユニット２６の回動範囲をいう。
【００３４】
以上のように、本実施形態における画像形成装置１０の駆動伝達装置６６は、各感光体４０に対してウォームギア６８により駆動力を伝達するので、複数のアイドルギアによる駆動伝達方法と比較すると噛み合い精度を向上させることができ、より高品質な出力画像を得ることができる。また、複数の感光体４０に対して１つのウォームギア６８により駆動力を伝達するので、複数のアイドルギアによる駆動伝達方法と比較するとギア数を減少させることができ、感光体ユニット２６を小型化することができる。
なお、本発明の第２の実施形態の説明においては、本発明の第１の実施形態と同一部分については、図面に同一番号を付してその省略した。
【００３５】
図７に本発明の第３の実施形態における画像形成装置１０が示されている。
本実施形態における画像形成装置１０は、水平方向に分割された画像形成装置本体１２を有する。すなわち、画像形成装置本体１２は、上部本体１２ａと下部本体１２ｂとを有し、下部本体１２ｂの上部に上部本体１２ａが設けられている。上部本体１２ａには、定着装置３０、電源ユニット３４、制御部３６、感光体ユニット２６、各トナーカートリッジ５０及び光書き込み装置５６などが配設されており、下部本体１２ｂには、シート供給装置１４及び転写ユニット２８などが配設されている。
【００３６】
図７に示すように、本実施形態における画像形成装置１０の前後方向は、感光体４０の軸方向と平行で、かつ水平方向である。したがって、画像形成装置本体１２の前面は、感光体４０の軸方向と平行で、かつ垂直方向に形成された一方の面（図７手前側）であり、画像形成装置本体１２の後面は、感光体４０の軸方向と平行で、かつ垂直方向に形成された他方の面（図７奥側）である。
【００３７】
感光体ユニット２６は、略水平方向に配置された転写ユニット２８に対向して配置されている。また、４つのトナーカートリッジ５０は、各感光体ユニット本体３８の上部に配置されており、光書込み装置５６は、各感光体ユニット本体３８の上部側にあって各感光体４０に対応した位置に配置されている。
【００３８】
回動軸６４は、各感光体ユニット２６に沿って略水平方向に配設されており、両端部が画像形成装置本体１２に回動自在に支持されている。この回動軸６４の各感光体４０（感光体駆動ギア７４）に対応する部分にはウォームギア７８が設けられている。このウォームギア７８は、入力ギア６８及び駆動伝達ギア７６により伝達された駆動力を各感光体４０に感光体駆動ギア７４を介して伝達するようになっている。
【００３９】
図８（ａ）に本実施形態の画像形成装置１０における各感光体ユニット２６、各トナーカートリッジ５０及びシートトレイ１８の着脱方法が示されている。図８（ａ）に示すように、各感光体ユニット２６は、画像形成装置本体１２に摺動自在に装着され、画像形成装置本体１２の前面方向（図８（ａ）の矢印ｉ方向）に引き出され、矢印ｉ方向と反対向きに装着されるようになっている。また、各トナーカートリッジ５０は、画像形成装置本体１２に摺動自在に装着され、画像形成装置本体１２の前面方向（図８（ａ）の矢印ｈ方向）に引き出されるようになっている。また、シートトレイ１８は、画像形成装置本体１２に摺動自在に装着され、画像形成装置本体１２の前面方向（図８（ａ）の矢印ｊ方向）に引き出されるようになっている。この感光体ユニット２６の着脱操作、各トナーカートリッジ５０の着脱操作及びシートトレイ１８へのシート補給操作は、画像形成装置本体１２の前面側より行われる。
【００４０】
図８（ｂ）に本実施形態の画像形成装置１０におけるジャム処理方法が示されている。
図８（ｂ）に示すように、画像形成装置本体１２内においてジャムが発生した場合は、画像形成装置１２におけるトナーカートリッジの装着方向奥側に位置する入力ギア６８を支点として画像形成装置本体１２の上部本体１２ａをカートリッジの装着方向と略垂直な上方向（図８（ｂ）の矢印ｋ方向）へ回動させる。これにより、感光体ユニット２６の各感光体４０と転写ユニット２８の搬送ベルト６０とが対向しなくなることによって、つまり当接が解除されて、ジャムを発生させたシートを取り除くことができる。このジャム処理操作は、画像形成装置本体１２の前面側より行なわれる。また、本発明の第２の実施形態と同様に回動軸６４を支点としてｋ方向に回動させても、ジャム処理操作は、画像形成装置本体１２の前面側から行なうことができるので、回動軸６４を支点としても良いし、さらには感光体ユニットと転写ユニットの位置関係が上下に逆であってもよい。
なお、本発明の第３の実施形態の説明においては、本発明の第１の実施形態と同一部分については、図面に同一番号を付してその省略した。
【産業上の利用可能性】
【００４１】
以上述べたように、本発明は、操作者により行なわれる操作の操作性向上を必要とする画像形成装置に利用することができる。
【図面の簡単な説明】
【００４２】
【図１】本発明の第１の実施形態に係る画像形成装置を示す側面図である。
【図２】本発明の第１の実施形態に係る感光体ユニットを示す斜視図である。
【図３】本発明の第１の実施形態に係る感光体ユニットを示し、（ａ）は感光体ユニットの斜視図であり、（ｂ）は感光体ユニットの駆動伝達装置の側面図である。
【図４】本発明の第１の実施形態に係る画像形成装置における操作方法を示し、（ａ）はジャム処理、（ｂ）はトナーカートリッジ着脱操作、（ｃ）は感光体ユニット着脱操作を説明する図である。
【図５】本発明の第２の実施形態に係る感光体ユニットを示し、（ａ）は感光体ユニットの側面図、（ｂ）は感光体ユニットの正面図である。
【図６】本発明の第２の実施形態に係る画像形成装置におけるトナーカートリッジの着脱操作を説明する図である。
【図７】本発明の第３の実施形態に係る画像形成装置を示し、（ａ）は画像形成装置の正面図、（ｂ）は画像形成装置の側面図である。
【図８】本発明の第３の実施形態に係る画像形成装置における操作方法を示し、（ａ）は感光体ユニット、トナーカートリッジ及びシートトレイの着脱操作、（ｂ）はジャム処理を説明する図である。
【符号の説明】
【００４３】
１０  画像形成装置
１２  画像形成装置本体
２６  感光体ユニット
４０  感光体
５０  トナーカートリッジ
６４  回動軸
６８  入力ギア
７８  ウォームギア
【図１】
2008046379.tif 000003
【図２】
2008046379.tif 000004
【図３】
2008046379.tif 000005
【図４】
2008046379.tif 000006
【図５】
2008046379.tif 000007
【図６】
2008046379.tif 000008
【図７】
2008046379.tif 000009
【図８】
2008046379.tif 000010